(57)【要約】【課題】  本発明は、燃焼ガス火炎の飛散を防ぎ地球温暖化の防止を図ると共に該火炎ガスを被加熱物底部に集中させ熱効率を上げ省エネも図るものである。  さらに、該ガス火炎が小さいときには既成の燃焼ガス器具は、横風に弱くまれに立ち消えが生じたり、また、吹きこぼれが生じた際にも立ち消えが起り危険であった。  これらの問題を解決する省エネエコガス台およびガス器具カバーを提供する。【解決手段】  ガス燃焼器具外周に末広形半円筒ガス台を一体として設置した該末広形半円筒ガス台の側面に生ガス排出口を設け、下部には空気吸い込み口を設けたことを特徴とした省エネエコガス器具およびガス器具カバー。【選択図】図１
2009156566.tif 000002
【特許請求の範囲】
【請求項１】
ガス燃焼器具外周に末広形半円筒ガス台を一体として設置した該末広形半円筒ガス台の側面に生ガス排出口を設け、下部には空気吸い込み口を設けたことを特徴とした省エネエコガス器具およびガス器具カバー。
【請求項２】
既存のガス燃焼器具に末広形半円筒ガス器具カバーを被せ、該末広形半円筒ガス器具カバー側面に生ガス排出口と水平維持ボルトを設け、下部には空気吸い込み口を設けたことを特徴とした省エネエコガス器具およびガス器具カバー。
【発明の詳細な説明】
【技術分野】
【０００１】  本発明は、燃焼ガス火炎の飛散を防ぎ地球温暖化の防止を図ると共に該火炎ガスを被加熱物底部に集中させ熱効率を上げ省エネも図るものである。
さらに、該ガス火炎が小さいときには既成の燃焼ガス器具は、横風に弱くまれに立ち消えが生じたり、また、吹きこぼれが生じた際にも立ち消えが起り危険であった。
これらの問題を解決する省エネエコガス台お呼びガス器具カバーに関するものである。
【背景技術】
【０００２】  従来のガス燃焼器のガス台は、被加熱物体を下支えするのみを目的とした構造となっていた。
【発明が解決しようとする課題】
【０００３】  そのために、次のような問題点があった。
（イ）燃焼火炎ガスの約５０％は飛散し、周囲の空気を温めてしまい被加熱物底部に火炎    ガスが集中できないため、熱効率が悪く地球温暖化の一因にもなっていると言われて    いる。
（ロ）火炎ガスが小火のときは、強い横風に弱く、まれに立ち消えが生じたり、また、吹    きこぼれが生じた際も、同様に立ち消えが生じて危険であった。
（ハ）フライパン等を使用し、手早く美味しい料理を作る基本は、フライパン等底部中央    に強い火炎ガスを集中させるのが望ましく、ドーナツ形の火炎ガスでは無理なもので    ある。
本発明は以上の問題点を解決しようとするものである。
【課題を解決するための手段】
【０００４】  本発明のガス燃焼器の外周に一体となり設置された、末広形半円筒ガス台と既存のガス燃焼器具に本発明の末広形半円筒形のガス器具カバーを被せ該ガス台と該ガス器具カバー各の下部にガスが完全燃焼するに足りる必要十分な空気吸い込み口を複数設ける。
これにより正常に燃焼した火炎ガスは、該ガス台と該ガス器具カバー各の内側形状により、上昇するにしたがい絞られ飛散を防ぐため被加熱物底部に集中するものである。
また、燃焼ガスが特に小火の際は強い横風に弱く、まれに火炎ガスの立ち消えが生じたり、吹きこぼれの際も立ち消えが生じ、危険であった。
しかし、該ガス台および該ガス器具カバーの形状は、末広形で裾部が火炎ガス噴出口を被っているため横風を防ぐと共に上方からの吹きこぼれも裾部でカバーし立ち消えも防ぐものである。
万一、燃焼ガスが立ち消えても、生ガスが該ガス器具カバー内に充満しないよう該ガスカバー上部の被加熱物下支え部と被加熱物底部との間隔は、既存のガス器具台と同様になるよう配慮してあるが、該カバー下部にある空気吸い込み口も生ガス排出口の補助的な役目も兼ねられる。
しかし、万全を期すために各の該ガス器具カバー側面に内部から外部に通じる生ガス排出口を複数設け安全を図るものである。
また、既存のガス燃焼器に、本発明のガス器具カバーを被せ使用する際は、該ガス器具カバーが傾斜せず床と水平を保つために該ガス器具カバーの裾部から下方に向け貫通するボルト溝を設けて水平維持ボルトを通し水平と安定を図る。
それにより該ガス器具カバーの安全を図るものである。
【発明の効果】
【０００５】  燃焼ガスの約５０％は飛散し、周囲の空気を温めてしまい地球温暖化の一因になっていると言われている。
そのため、燃焼ガス火炎は被加熱物底部に対し集中率が悪いため熱効率が大変悪い。
燃焼ガス火炎が小火の際は、強い横風に弱くまれに立ち消えが生じたり、また、吹きこぼれによっても立ち消えが生じて危険があった。
本発明のガス台およびガス器具カバー各の構成および形状によりこれらの課題である燃焼ガスの飛散防止が図れるものであるから地球温暖化の防止には大変役立つものである。
また、この燃焼ガスの飛散防止を図ることは、被加熱物底部への燃焼ガスの集中率が高まり、熱効率が良くなるため、省エネにもなり大変有意義なものである。
さらに燃焼ガスに対する風や吹きこぼれによる立ち消えも防げるので立ち消えによる諸事故の防止も図れるものである。
一般的にフライパン等を使用し、手早く美味しい料理を作る基本はフライパン等底部中央に強い火炎ガスを集中させるのが望ましく、ドーナツ形の火炎ガスでは無理なものである。
もちろん、本発明のガス台およびガス器具カバー器材の強度材質、構成および形状等に関して、万が一にも不具合が生じて安全を阻害しないよう十分な配慮を行った安全なガス器具である。
【発明を実施するための最良の形態】
【０００６】  以下、本発明の実施の形態を説明する。
ガス燃焼器（２）の外周に一体となり設置された末広形半円筒ガス台（３）の設置位置や形状により燃焼ガス火炎（５）は、飛散を防ぐと共に被加熱物底部（６）に無駄無く集中できるため熱効率が上がり地球温暖化の防止に貢献出来るものである。
また、該末広形半円筒ガス台裾部が該燃焼器具のガス噴出器（７）も被っているため、燃焼ガス火炎を風から守ると共に上方からの吹きこぼれもカバーするのでガス事故の防止も図れるものである。
また、該燃焼ガスが完全燃焼するに足りる必要十分な空気を確保するために、該末広形半円筒ガス台（３）の下部に空気吸い込み口（８）を複数設ける。
万一、燃焼ガスが立ち消えても、生ガスが該ガス台（３）内に充満しないよう該ガス台側面に内部から外部へ通じる生ガス排出口（１１）を複数設け、安全を図るものである。
既存のガス燃焼器（１）に本発明の末広形半円筒ガス器具カバー（４）を被せることにより該末広形半円筒ガス器具カバー（４）の被せ位置や形状により、燃焼ガス火炎（５）の飛散を防ぐと共に被加熱物底部（６）に無駄無く集中できる。
そのため、熱効率が上がり地球温暖化の防止にも貢献出来るものである。
また、該末広形半円筒ガス器具カバー裾部が該燃焼器具のガス噴出器（７）も被っているため、燃焼ガス火炎を風から守ると共に上方からの吹きこぼれもカバーするのでガス事故の防止も図れるものである。
該燃焼ガスが完全燃焼するに足りる必要十分な空気を確保するために該末広形半円筒ガス器具カバー（４）の下部に空気吸い込み口（８）を複数設ける。
万一燃焼ガスが立ち消えても、生ガスが該ガス器具カバー（４）内に充満しないよう該ガス器具側面に内部から外部へ通じる生ガス排出口（１１）を複数設け、安全を図るものである。
末広形半円筒ガス器具カバー（４）を使用する際は、傾斜を防ぎ水平と安定を維持するために該ガス器具カバー（４）の側面に水平維持ボルト（１２）を均等間隔で三本通し安全を図るものである。
【図面の簡単な説明】
【０００７】
【図１】  本発明のガス燃焼器具の使用状態を示した説明図である。
【図２】  本発明の末広形半円筒ガス器具カバーの使用状態を示した説明図である。
【図３】  本発明の末広形半円筒ガス器具カバーを上面から見た説明図である。
【符号の説明】
【０００８】    １  既存のガス燃焼器本体
２  本発明のガス燃焼器の本体
３  本発明の末広形半円筒ガス台
４  本発明の末広形半円筒ガス器具カバー
５  燃焼ガス火炎
６  被加熱物底部
７  ガス噴出器
８  空気吸い込み口
９  ガス管
１０  被加熱物
１１  生ガス排出口
１２  水平維持ボルト
【図１】
2009156566.tif 000003
【図２】
2009156566.tif 000004
【図３】
2009156566.tif 000005